(57)【特許請求の範囲】
【請求項１】
容器の注出口などに対して螺合することができるキャップ状ストッパと、破壊橋架連結部および固定部により上記キャップ状ストッパに連結された防止用バンドと、この防止用バンドに形成されていて前記容器の注出口などに形成された対応する停止部に係合するようにされた回り止めを有し、上記防止用バンドは少なくとも二つの弧状部に分割されているキャップにおいて、
前記各弧状部は、螺合解除方向において先行する端部と後行する端部とを有しており、
これら先行端部および後行端部がその弧状部に連続した他の弧状部と間隔をおいて対面するように配列されており、
少なくとも一つの上記弧状部に互いに近接した前記破壊橋架連結部および前記回り止めを有し、
この弧状部の後部に備えた上記キャップ状ストッパとの連結固定部と、上記回り止めとの間の弧状部に折れ曲がり可能部が形成され、
この弧状部の前後に間隔をおいて位置する他の弧状部は複数の固定部によって、上記キャップ状ストッパに固定され、
前記防止用バンドは、薄肉の周壁とその上端より内側へ延びるフランジ壁から成り、
前記折れ曲がり可能部は、前記フランジ壁を欠如した部分であることを特徴とする注出口用キャップ。
【発明の詳細な説明】
【０００１】
【発明の属する技術分野】
この発明は、ストローパウチなどの小径の注出口に好適な、取り外された明確な痕跡を残すバンドを有するキャップに関するものである。
【０００２】
【従来の技術】
取り外され、そして、装着し、戻されたという明確な痕跡を残す瓶用こじ開け防止閉止体として例えば特開平５−４６４８が知られている。
図８は上記瓶用こじ開け防止閉止体の横断面図、図９はIX−IX線切断面図である。図に示すように、これは、瓶２等のためのこじ開け防止閉止体１であって、瓶２に対して螺合することができ、また、螺合解除することができるキャップ状ストッパ３と、破壊橋架連結部１１，１２により前記ストッパ３に連結された防止用バンド６と、該防止用バンド６に形成されていて前記瓶２に形成された対応する停止部１７，１８に係合するようにされた回り止め１３，１４とを有している瓶用こじ開け防止閉止体において、前記防止用バンド６は少なくとも２つの環状部８に分割されており、各前記環状部８は螺合解除方向において先行する端部９とそれら後行する端部１０とを有しており、それら先行端部および後行端部がその環状部に連続した他の環状部８と対面するよう配列されており、各前記橋架連結部１１，１２に近接して位置しているのは前記回り止め１３，１４のうちの対応する１つであって、前記ストッパを最初に螺合解除させる際、前記対応する１つと係合している前記回り止め１３，１４に関連した前記橋架連結部１１，１２が破壊されるようになっていることを特徴とする瓶用こじ開け防止閉止体である。
【０００３】
キャップ状ストッパ３を矢印Ｆ方向に回すことで瓶２の開放が開始される。先行回り止め１３は停止部１７に係合した後、そのキャップ状ストッパ３は更に螺合解除され、先行橋架連結部１１は破壊される。破壊時、各環状部の先行端部はキャップ状ストッパ３および他の環状部から分離され、先行停止部の位置で瓶に取り付けられたままになっている。回転を連続させると、周方向の遅れ角度Ｃ＝２０度にて後行回り止め１４は停止部１８に対し係合が生じ、これにより環状部８は圧縮され、後行橋架連結部１２は破壊され、図７に示すように環状部８はキャップ状ストッパ３から分離される。
【０００４】
【発明が解決しようとする課題】
このように、環状部８がキャップ状ストッパ３から分離されるので、取り外され、そして、装着し、戻されたという明確な痕跡を残す瓶用こじ開け防止閉止体としては極めて有効な手段であるが、反面、環状部８がストッパから分離され飛散することは、環境美化、安全対策上問題がある。
【０００５】
本発明はこれらの問題点を解決するためになされたもので、開栓時に環状部がＵ字状に折れ曲がり、更に、前後の隙間が発生することにより、タンパーエビデントを残し、かつ、防止用バンドが変形後もキャップ状ストッパと一体化され、環境美化、安全対策上問題のない注出口用キャップを提供することを目的とする
。
【０００６】
【課題を解決するための手段】
この発明は、容器の注出口などに対して螺合することができるキャップ状ストッパと、破壊橋架連結部および固定部により上記キャップ状ストッパに連結された防止用バンドと、この防止用バンドに形成されていて前記容器の注出口などに形成された対応する停止部に係合するようにされた回り止めを有し、上記防止用バンドは少なくとも二つの弧状部に分割されているキャップにおいて、前記各弧状部は、螺合解除方向において先行する端部と後行する端部とを有しており、これら先行端部および後行端部がその弧状部に連続した他の弧状部と間隔をおいて対面するように配列されており、少なくとも一つの上記弧状部に互いに近接した前記破壊橋架連結部および前記回り止めを有し、この弧状部の後部に備えた上記キャップ状ストッパとの連結固定部と、上記回り止めとの間の弧状部に折れ曲がり可能部が形成され、この弧状部の前後に間隔をおいて位置する他の弧状部は複数の固定部によって、上記キャップ状ストッパに固定され、前記防止用バンドは、薄肉の周壁とその上端より内側へ延びるフランジ壁から成り、前記折れ曲がり可能部は、前記フランジ壁を欠如した部分であることを特徴とする。
【０００７】
【発明の実施の形態】
発明の実施の形態を実施例に基づき図面を参照して説明する。
図１は本発明のキャップの（イ）平面図、（ロ）側面図、図２は同裏面図、図３は注出口にキャップを装着した状態を示す一部切断側面図、図４は注出口の平面図、図５は注出口の一部切断正面図である。
【０００８】
図３〜５において、５０は容器の注出口、５１は保持用フランジ、５２は雄ねじ部、５３は一対の停止部で先端に停止爪５３ａを備えている。
図１〜３において、６０は注出口用キャップで、本体であるキャップ状ストッパ６２は、上記雄ねじ部５２に螺合する雌ねじ部６１と封止蓋部７０を具備し、回動によって注出口を閉塞し、ストッパとしての機能を果たすことができる。６３はこじ開け等の防止用バンドで、この実施例では二つの弧状部６３Ａ，６３Ｂに分割され各該弧状部は、螺合解除方向において先行する端部と後行する端部とを有しており、対面する先行端部６３Ａａと後行端部６３Ｂｂとは弱化部６４によって連結され、対面する先行端部６３Ｂａと後行端部６３Ａｂとは非連結状態にある。
【０００９】
弧状部６３Ｂは４箇所の固定部６５によって上記キャップ状ストッパ６２に固定されている。弧状部６３Ａは二つの破壊橋架連結部６６によって上記キャップ状ストッパ６２に固定されている。この二つの破壊橋架連結部６６に近接して弧状部６３Ａには回り止め６７が固定され、この回り止め６７は前記停止爪５３ａの一つに一方向において係止可能となっている。弧状部６３Ａの後行端部６３Ａｂは連結固定部６８によって上記キャップ状ストッパ６２に固定されている。上記連結固定部６８と上記回り止め６７との間の弧状部に折れ曲がり可能部６９が形成されている。
【００１０】
次に作用効果について説明する。開栓時に、キャップ状ストッパ６２を矢印Ｆ方向に回すと、先ず回り止め６７が停止爪５３ａの一つに係止し、停止する。更にキャップ状ストッパ６２を回動すると、弧状部６３Ｂが回動するに拘らず、弧状部６３Ａの先行端部６３Ａａは停止状態にあるので、両者を連結する弱化部６４は破断する。同時に停止状態にある二つの破壊橋架連結部６６も破断する。弧状部６３Ａの後行端部６３Ａｂは、連結固定部６８によって上記キャップ状ストッパ６２に固定されているので、共に回動するため、折れ曲がり可能部６９は周方向に圧縮力を受けてＵ字状に折れ曲り弾性限界を越えて塑性変形し、元の状態には戻らなくなり、変形後も脱落しない。また、弱化部６４で繋がれていた弧状部６３Ｂと弧状部６３Ａとの隙間間隔７１は拡大されタンパーエビデントが明確となる。（図６参照）
【００１１】
折れ曲がり可能部６９の長さ幅を変更することにより、塑性変形の度合いが異なるので、タンパーエビデントが明確となるように適宜調節することが好ましい。
上記実施例では折れ曲がり可能部６９を備えた弧状部は一個であるが、二個以上設けることもできる。また、上記実施例では弱化部６４を備えているが、省略することも可能である。
上記実施例ではストローパウチなどの小径の注出口に用いた場合について説明したが、その他の注出口に用いることも可能である。
【００１２】
【発明の効果】
本発明は、以上説明したように構成されているので、以下に記載されるような効果を奏する。
【００１３】
本発明のキャップは、キャップ状ストッパに連結された防止用バンドは少なくとも二つの弧状部に分割され、各該弧状部は、螺合解除方向において先行する端部と後行する端部とを有しており、これら先行端部および後行端部がその弧状部に連続した他の弧状部と対面するように配列されており、少なくとも一つの上記弧状部に互いに近接した前記橋架連結部および前記回り止めを有し、この弧状部の後部に備えた上記キャップ状ストッパとの連結固定部と上記回り止めとの間に折れ曲がり可能部が形成され、この弧状部の前後に位置する他の弧状部は複数の固定部によって、上記キャップ状ストッパに固定されている構成としたことにより、キャップ状ストッパを回動した際、折れ曲がり可能部はＵ字状に折れ曲り弾性限界を越えて塑性変形し、弧状部と弧状部との隙間間隔は拡大されるからタンパーエビデントが明確となる。また、防止用バンドを構成する各弧状部は、固定部又は連結固定部によってキャップ状ストッパと一体化されているから変形後も脱落することがなく、環境美化、安全対策上有利である。
【００１４】
又、本発明のキャップは、防止用バンドが薄肉の周壁とその上端より内側へ延びるフランジ壁から成り、折れ曲がり可能部が前記フランジ壁を欠如した部分としたことにより、前記折れ曲がり可能部の折れ曲がりの容易性と、その他の部分のフランジ壁の補強効果による高剛性を両立でき、かつ、周壁の内面の回り止めの半径方向の長さを大きくできるので、容器の注出口の停止部に確実に係合できる。
【図面の簡単な説明】
【図１】  本発明のキャップの（イ）平面図、（ロ）側面図である。
【図２】  本発明のキャップの裏面図である。
【図３】  注出口にキャップを装着した状態を示す一部切断側面図である。
【図４】  注出口の平面図である。
【図５】  注出口の一部切断正面図である。
【図６】  図１のキャップを開封したときの（イ）平面図、（ロ）側面図である。
【図７】  図８のキャップを開封したときの平面図である。
【図８】  従来公知のキャップの横断平面図である。
【図９】  図８のIX−IX線切断面図である。
【符号の説明】
５０        注出口
５１        保持用フランジ
５２        雄ねじ部
５３        停止部
５３ａ      停止爪
６０        注出口用キャップ
６１        雌ねじ部
６２        キャップ状ストッパ
６３        防止用バンド
６３Ａ      弧状部
６３Ｂ      弧状部
６３Ａａ    先行端部
６３Ｂａ    先行端部
６３Ｂｂ    後行端部
６３Ａｂ    後行端部
６４        弱化部
６５        固定部
６６        破壊橋架連結部
６７        回り止め
６８        連結固定部
６９        折れ曲がり可能部
７０        封止蓋部
７１        隙間間隔
【図１】
0004510187.tif 000002
【図２】
0004510187.tif 000003
【図３】
0004510187.tif 000004
【図４】
0004510187.tif 000005
【図５】
0004510187.tif 000006
【図６】
0004510187.tif 000007
【図７】
0004510187.tif 000008
【図８】
0004510187.tif 000009
【図９】
0004510187.tif 000010